(57)【要約】      （修正有）【課題】マンホールなどの構造物の表面を昇降する時の安全性の向上を図るステップ装置を提供する。【解決手段】棒状部材を、足踏部（１１）と、足踏部の両側から垂直に延びて構造物の壁面に取り付ける一対の取付部（１２）とを有するコの字状フレームに曲げ、足踏部（１１）の表面（１１０）を第１の滑り防止材（１３）で被覆し、足踏部（１１）の表面を被覆した第１の滑り材（１３）の昇降方向の上面（１３１）が取付部（１２）の上面（１２１）よりも低いことを特徴とするステップ装置を提供する。【選択図】図３
0003138167.tif 000002
【実用新案登録請求の範囲】
【請求項１】
構造物の壁面に取り付ける昇降用ステップ装置であって、
棒状部材を、足踏部と、前記足踏部の両側から前記壁面に対して垂直に延びて前記構造物の壁面に取り付ける一対の取付部とを有するコの字状フレームに曲げ、
前記足踏部の表面を第１の滑り防止材で被覆し、
前記足踏部の表面を被覆した前記第１の滑り材の昇降方向の上面が前記取付部の上面より低いことを特徴とするステップ装置。
【請求項２】
前記取付部のそれぞれの表面を第２の滑り防止材で被覆し、
前記足踏部の表面を被覆した第１の滑り防止材の上面が、前記取付部の表面を被覆した第２の滑り防止材の上面よりも低いことを特徴とする請求項１に記載のステップ装置。
【請求項３】
前記一対の取付部は、先端が前記壁面に挿し込んで固定する挿込部として形成されていることを特徴とする請求項２に記載のステップ装置。
【請求項４】
前記取付部の先端は、らせん部が形成されていることを特徴とする請求項３に記載のステップ装置。
【請求項５】
前記取付部の先端が、さらに上向きに屈曲延伸して埋込部が形成されていることを特徴とする請求項４に記載のステップ装置。
【請求項６】
前記取付部の先端側に、さらに前記壁面に埋め込んで固定する連結棒が設けられ、
該連結棒は、先端が前記壁面から突出るように前記壁面に埋め込まれるスリーブ部材に嵌入され、
前記連結棒の前記壁面から突出る先端は、らせん部が形成され、
前記取付部の先端のらせん部と前記連結棒のらせん部とが、連結状にねじ合せるナットによって螺合されていることを特徴とする請求項４に記載のステップ装置。
【請求項７】
前記足踏部の表面を被覆した第１の滑り防止材の少なくとも上面に、凹凸部が設けられていることを特徴とする請求項５又は６に記載のステップ装置。
【請求項８】
前記第２の滑り防止材の少なくとも上面に、凹凸部が設けられていることを特徴とする請求項５又は６に記載のステップ装置。
【請求項９】
前記足踏部の表面を被覆した第１の滑り防止材の前記壁面寄りの内側面は、波型に形成されていることを特徴とする請求項５又は６に記載のステップ装置。
【請求項１０】
前記足踏部の表面を被覆した第１の滑り防止材の底面は、波型に形成されていることを特徴とする請求項５又は６に記載のステップ装置。
【請求項１１】
前記第１の滑り防止材及び前記第２の滑り防止材としては、ポリエチレン（ＰＥ）又はポリプロピレン（ＰＰ）により形成されることを特徴とする請求項５又は６に記載のステップ装置。
【請求項１２】
前記取付部は、それぞれの前記第２の滑り防止材と前記埋込部との間の部分の下側から垂直に延びる下垂片が前記壁面に接触するように設けられていることを特徴とする請求項５又は６に記載のステップ装置。
【請求項１３】
前記第２の滑り防止材の上面の外側縁にフランジ片が設けられていることを特徴とする請求項５又は６に記載のステップ装置。
【考案の詳細な説明】
【技術分野】
【０００１】
本考案は、マンホールや建設機構、一般の構造物における足場や昇降用ステップ装置に関する。
【背景技術】
【０００２】
一般に、マンホール等への出入り、構造物の表面の昇降の際、足場として利用されるステップ装置を、図６を参照して説明する。
【０００３】
従来のステップ装置３は、例えばステンレス鋼などの金属棒材を足踏部及び足踏部の両側から垂直に延びた一対の埋込部を有するコの字状フレーム３０に曲げ、足踏部と埋込部の表面をプラスチックなどの滑り防止材３１、３２で被覆しており、埋込部の先端３２０がさらにらせん状に突出て、図示しない例えば壁面に埋込まれ、足踏部を壁面から浮かせている。ステップ装置３は壁面に複数配列され、このステップ装置３の足踏部（滑り防止材３１）に足を掛けて人が昇降することができる。足踏部を被覆した滑り防止材３１の昇降方向の上面は、例えばローレット加工により複数の凹凸３１１、３１１、・・・が形成され、両側縁にそれぞれフランジ片３１２、３１２が設けられていることにより、横への滑り止め効果を発揮し、昇降時の安全性を向上させる。
【考案の開示】
【考案が解決しようとする課題】
【０００４】
従来のステップ装置３では、昇降の際、特に降りるとき視野が狭くなっているので、同一平面にある足踏部（滑り防止材３１）と埋込部（滑り防止材３２）において、薄いフランジ片３１２、３１２を踏んだりすることが多いので、昇降時の足踏み重心の安定性を損なう。
【課題を解決するための手段】
【０００５】
本考案は、前記問題点を解消するためになされたもので、例えばマンホールなどの構造物の表面を昇降する時の安全性の向上を図るステップ装置を提供することを目的とする。
【０００６】
前記目的を達成すべく、本考案は、構造物の壁面に取り付ける昇降用ステップ装置であって、棒状部材を、足踏部と、足踏部の両側から壁面に対して垂直に延びて構造物の壁面に取り付ける一対の取付部とを有するコの字状フレームに曲げ、足踏部の表面を第１の滑り防止材で被覆し、足踏部の表面を被覆した第１の滑り材の昇降方向の上面が取付部の上面よりも低いことを特徴とするステップ装置を提供する。
【０００７】
また、取付部のそれぞれの表面を第２の滑り防止材で被覆し、足踏部の表面を被覆した第１の滑り防止材の上面が、取付部の表面を被覆した第２の滑り防止材の上面よりも低いことが好ましい。
【０００８】
また、一対の取付部は、先端が壁面に挿し込んで固定する挿込部として形成されることが好ましい。
【０００９】
また、取付部の先端は、らせん部が形成されることが好ましい。
【００１０】
また、取付部の先端が、さらに上向きに屈曲延伸して埋込部が、または、取付部の先端側に、さらに壁面に埋め込んで固定する連結棒が設けられ、該連結棒は先端が壁面から突出るように壁面に埋め込まれるスリーブ部材に嵌入され、連結棒の壁面から突出る先端は、らせん部が形成され、取付部の先端のらせん部と連結棒のらせん部とが連結状にねじ合せるナットを設けることにより、壁面への取り付けの安定性が保てる。
また、足踏部の表面を被覆した滑り防止材の少なくとも上面に、凹凸部が設けられてもよい。
【００１１】
また、第２の滑り防止材の少なくとも上面に凹凸部が設けられてもよい。
【００１２】
また、足踏部の表面を被覆した第１の滑り防止材の壁面寄りの内側面は、波型に形成してもよい。
【００１３】
また、足踏部の表面を被覆した第１の滑り防止材の底面は、波型に形成してもよい。
【００１４】
また、第１の滑り防止材及び第２の滑り防止材としては、ポリエチレン（ＰＥ）又はポリプロピレンにより形成されることが好ましい。
【００１５】
また、取付部は、それぞれの第２の滑り防止材と埋込部との間の部分の下側から垂直に延びる下垂片が壁面に接触するように設けられてもよい。
【００１６】
また、第２の滑り防止材の上面の外側縁にフランジ片が設けられてもよい。
【考案の効果】
【００１７】
本考案のステップ装置は、以上の構成により、足踏部の表面を被覆した第１の滑り防止材の上面が取付部の上面より低く、また、足踏部の表面を被覆した第１の滑り防止材の上面が取付部を被覆した第２の滑り防止材の上面より低い構成をするので、昇降の際、特に降りるとき視野が狭い状態でも、同一平面にない足踏部と埋込部を足が踏んだりするとき、踏み外すことなく段付きステップ装置の足踏部に確実に足を掛けることができ、昇降時の足踏み重心の安定性が向上し、より安全に昇降することができる。
【考案を実施するための最良の形態】
【００１８】
本考案の上記その他の目的と特徴は、以下の説明を添付図面とあわせて参照することによって明らかとなろう。
【００１９】
図１は、本考案による実施例のステップ装置１を構造物４の壁面４０に取り付けた状態を示す斜視図である。図２は、図１の平面図である。図３は図１の側面図である。なお、図中、ステップ装置１を１個のみ示すが、本考案のステップ装置１を構造物４の壁面４０（破線で示す）に昇降方向に沿って複数配列させて取り付け、人が昇降することができる。
【００２０】
本考案のステップ装置１は、図示の如く、例えば鉄、ステンレス鋼などの棒状部材を、足踏部１１と、足踏部１１の両側から垂直に延びて構造物４の壁面４０に取り付ける一対の取付部１２とを有するコの字状フレーム１０に曲げたものである。
【００２１】
フレーム１０は、足踏部１１の昇降方向の上面１１１が取付部１２の上面１２１よりも低いであるように段付き構成となっている。
【００２２】
一対の取付部１２は、先端１２ａが壁面４０に挿し込んで固定する挿込部として形成されている。
【００２３】
足踏部１１の表面１１０を第１の滑り防止材１３で被覆し、先端（挿込部）１２ａを除く取付部１２のそれぞれの表面１２０を第２の滑り防止材１４で被覆している。本考案のステップ装置１は、とりわけ足踏部１１の表面１１０を被覆した第１の滑り防止材１３の上面１３１が取付部１２の上面１２１よりも低いことを特徴とする。したがって、人足が確実に足踏部１１に踏み掛けることができ、昇降時の安全性、安定性に優れた効果を有する。
【００２４】
足踏部１１の表面１１０を被覆した第１の滑り防止材１３の上面１３１が、取付部１２の表面を被覆した第２の滑り防止材１４の上面１４１よりも低いようにしてもよい。この例においては、第１の滑り防止材１３、第２の滑り防止材１４としては、フレーム１０の錆びを防ぐために好ましくはポリエチレン（ＰＥ）又はポリプロピレン（ＰＰ）などにより一体に成形形成される。なお、フレーム１０としては、段付き構成をするが、足踏部を被覆した滑り防止材の上面が取付部を被覆した滑り防止材の上面より低いようにすればよく、足踏部と取付部とは同一平面にある構成をしてもよい。
【００２５】
足踏部１１の表面１１０を被覆した滑り防止材１３の少なくとも上面１３１に、例えばＶの字形などの図形、文字などのストッパ凸部１５１が設けられ、また、第２の滑り防止材１４の少なくとも上面１４１に、同様に例えばＶの字形、Ｕの字形、Ｗの字形などの図形、文字などのストッパ凸部１５２が設けられている。このように、さらなる滑り防止効果を高め、昇降時の足掛けの安全性が向上する。
【００２６】
足踏部１１の表面１１０を被覆した滑り防止材１３の壁面４０寄りの内側面１３２を、握りやすく滑りにくい波型１３４に形成している。これにより昇降時の握りの安定性が向上する。
【００２７】
また、足踏部１１の表面１１０を被覆した第１の滑り防止材１３の底面１３３に、波型１３５に形成している。
【００２８】
図示のように、取付部１２の先端１２ａは、らせん部１２２が形成されている。この例では、らせん部１２２を壁面４０に挿入して壁面４０との結合度を高めることができ、また、取付部１２の先端１２ａがさらに上向きに屈曲延伸して埋込部１２ｂが形成され、ステップ装置１が容易に壁面４０からの脱落することを防止することができる。
【００２９】
取付支持強度を強化するために、取付部１２は、それぞれの第２の滑り防止材１４と先端（挿込部）１２ａとの間の部分の下側から垂直に延びる下垂片１７１が壁面４０に接触するように設けられている。
【００３０】
この例では、横への滑りを防止し、足掛けをより確実にするように、さらに、取付部１２を被覆した第２の滑り防止材１４の上面１４１の外側縁に、従来のように、フランジ片１７２が設けられている。
【００３１】
ステップ装置１を壁面４０に取り付けるとき、らせん部１２２及び埋込部１２ｂにより、挿込部１２ａを壁面４０に挿入して強固に取り付けることができ、壁面４０からの脱落を防止することができ、昇降時の安全性、安定性が保てる。
【００３２】
図５は、ステップ装置の取付部の他の構成を示す側面図である。
【００３３】
本例のステップ装置２は、前記形態例と同様な構成を有する。例えば鉄、ステンレス鋼などの棒状部材を、足踏部２１と、足踏部２１の両側から垂直に延びて構造物４の壁面４０に取り付ける一対の取付部２２とを有するコの字状フレーム２０に曲げたものである。足踏部２１の表面２１０を第１の滑り防止材２３で被覆し、挿込部２２ａを除く取付部２２のそれぞれの表面２２０を第２の滑り防止材２４で被覆している。第１と第２の滑り防止材２３、２４の昇降方向の上面にそれぞれ滑り防止用の凸部２５１、２５２が設けられている。
【００３４】
取付部２２の先端２２ａにらせん部２２２が設けられている。この先端２２ａ側にはさらに壁面４０に埋め込んで固定する連結棒２８１が設けられ、該連結棒２８１は先端２８１ａが壁面４０から突出るように壁面４０に埋め込まれるスリーブ部材２８２に嵌入され固定される。連結棒２８１の壁面４０から突出る先端２８１ａには、らせん部２８１ｂが形成され、取付部２２の先端２２ａのらせん部２２２と連結棒２８１のらせん部２８１ｂとが連結状にねじ合せるナット２８３と座金２８４を設けている。ステップ装置２は、取付部２２のらせん部２２２がナット２８３によって、連結棒２８１のらせん部２８１ｂと連結状に螺合され、座金２８４を介してステップ装置２が壁面４０にねじ係止される。
【００３５】
この形態によれば、壁面に対するステップ装置の取付け、取り外しが可能となるので、作業現場での取り付けが容易になり、再度の利用が可能となり、経済性によい。
【産業上の利用可能性】
【００３６】
本考案のステップ装置によれば、昇降時の安全性、安定性が保てると共に経済性のよいステップ装置を提供することができる。
【図面の簡単な説明】
【００３７】
【図１】本考案による実施例のステップ装置の取り付けた状態を示す斜視図である。
【図２】図１の平面図である。
【図３】図１の側面図である。
【図４】図１のステップ装置の他の構成例を示す斜視図である。
【図５】本考案のステップ装置の他の取付例を示す側面図である。
【図６】従来のステップ装置を示す斜視図である。
【符号の説明】
【００３８】
１，２  ステップ装置
１０，２０  フレーム
１１，２１  足踏部
１１０，２１０  表面
１１１  上面
１２，２２  取付部
１２０，２２０  表面
１２１  上面
１２２，２２２  らせん部
１２ａ，２２ａ  先端
１２ｂ  埋込部
１３，２３  第１の滑り防止材
１３１  上面
１３２  内側面
１３３  底面
１３４，１３５  波型
１４  第２の滑り防止材
１５１，１５２，２５１，２５２  凸部
１７１  下垂片
１７２  フランジ片
２８１  連結棒
２８１ａ  先端
２８１ｂ  らせん部
２８２  スリーブ部材
２８３  ナット
２８４  座金
４  構造物
４０  壁面
【図１】
0003138167.tif 000003
【図２】
0003138167.tif 000004
【図３】
0003138167.tif 000005
【図４】
0003138167.tif 000006
【図５】
0003138167.tif 000007
【図６】
0003138167.tif 000008